(57)【要約】【課題】コスト及び作業工数を抑制しつつ、ビードコアを帯状のゴムシートで高精度に被覆することができるビードコア被覆方法及びビードコア被覆装置を提供する。【解決手段】ビードコア被覆方法は、押出機２により押し出したゴムシートＳを回転ドラム３に巻き付ける工程と、ゴムシートＳが回転ドラム３の全周に亘って巻き付けられる前に、回転ドラム３上にあるゴムシートＳの幅方向中央部を回転するビードコア８の外表面に貼り付ける工程と、ビードコア８の外表面に貼り付けられたゴムシートＳの幅方向両端部をビードコアＳの外表面に沿って巻き付ける工程と、を備え、回転ドラム３上にあるゴムシートＳの幅方向中央部をビードコア８の外表面に貼り付ける工程において、ゴムシートＳが回転ドラム３から引き剥がされる引き剥がし箇所で、ゴムシートＳの幅方向中央部と回転ドラム３との間に生じた隙間３ｓにエアーを吹き付ける。【選択図】図１
2019051671.tif 000002
【特許請求の範囲】
【請求項１】
環状のビードコアを帯状のゴムシートで被覆するビードコア被覆方法であって、
押出機により口金を介して押し出した前記ゴムシートを先端部から回転ドラムの外周面に巻き付ける工程と、
前記ゴムシートが前記回転ドラムの外周面の全周に亘って巻き付けられる前に、前記回転ドラムの外周面上にある前記ゴムシートの幅方向中央部を前記先端部から回転する前記ビードコアの外表面に貼り付ける工程と、
前記ビードコアの外表面に貼り付けられた前記ゴムシートの幅方向両端部を、前記幅方向中央部から各幅方向端部へ向かって順に前記ビードコアの外表面に沿って貼り付けながら巻き付ける工程と、を備え、
前記回転ドラムの外周面上にある前記ゴムシートの幅方向中央部を前記先端部から回転する前記ビードコアの外表面に貼り付ける工程において、前記ゴムシートが前記回転ドラムから引き剥がされる引き剥がし箇所で、前記ゴムシートの幅方向中央部と前記回転ドラムの外周面との間に生じた隙間にエアーを吹き付けることを特徴とするビードコア被覆方法。
【請求項２】
前記隙間から前記ゴムシートの幅方向端部へ向かう方向へエアーを吹き付けることを特徴とする請求項１に記載のビードコア被覆方法。
【請求項３】
前記回転ドラムから引き剥がされた直後の前記ゴムシートを、前記ゴムシートを挟んで前記ビードコアの反対側に配置された保持ローラによって保持することを特徴とする請求項１又は２に記載のビードコア被覆方法。
【請求項４】
前記ゴムシートの幅方向中央部と前記回転ドラムの外周面との間に生じた隙間にエアーを吹き付けて前記ゴムシートの幅方向両端部を前記回転ドラムから引き剥がした後、前記ゴムシートの幅方向両端部に対して前記回転ドラム側から前記ビードコア側へ向かってさらにエアーを吹き付けることを特徴とする請求項１〜３の何れか１項に記載のビードコア被覆方法。
【請求項５】
環状のビードコアを帯状のゴムシートで被覆するビードコア被覆装置であって、
前記ゴムシートを押し出す押出機と、
前記押出機から押し出された前記ゴムシートを巻き付ける回転ドラムと、
前記押出機よりも前記回転ドラムの回転方向下流側の位置で前記回転ドラムの外周面と前記ビードコアの外表面が近接するように前記ビードコアを支持し、支持した前記ビードコアを回転させるカバーリング装置と、
前記回転ドラムの外周面と前記ビードコアの外表面が近接する位置よりも前記ビードコアの回転方向下流側に配置されるエアー噴射機構と、
前記押出機、前記回転ドラム、前記カバーリング装置、及び前記エアー噴射機構を制御する制御部と、を備え、
前記制御部は、前記押出機から押し出した前記ゴムシートを先端部から前記回転ドラムの外周面に巻き付けていき、前記ゴムシートが前記回転ドラムの外周面の全周に亘って巻き付けられる前に、前記回転ドラムの外周面上にある前記ゴムシートの幅方向中央部を前記先端部から回転する前記ビードコアの外表面に貼り付け、前記ビードコアの外表面に貼り付けられた前記ゴムシートの幅方向両端部を、前記カバーリング装置により前記幅方向中央部から各幅方向端部へ向かって順に前記ビードコアの外表面に沿って貼り付けながら巻き付け、
前記制御部は、前記ゴムシートが前記回転ドラムから引き剥がされる引き剥がし箇所で、前記ゴムシートの幅方向中央部と前記回転ドラムの外周面との間に生じた隙間に前記エアー噴射機構によりエアーを吹き付けることを特徴とするビードコア被覆装置。
【請求項６】
前記エアー噴射機構よりも前記ビードコアの回転方向下流側、かつ前記ゴムシートを挟んで前記ビードコアの反対側に配置され、前記回転ドラムから引き剥がされた直後の前記ゴムシートを保持する保持ローラをさらに備えることを特徴とする請求項５に記載のビード被覆装置。
【発明の詳細な説明】
【技術分野】
【０００１】
本発明は、環状のビードコアを帯状のゴムシートで被覆するビードコア被覆方法及びビード被覆装置に関する。
【背景技術】
【０００２】
一般的に、空気入りタイヤのビード部には、鋼線等の収束体をゴム被覆してなる環状のビードコアが配されている。このビードコアの表面は、鋼線等を一体化するために薄いゴムシートで被覆される場合がある。このゴムシートは、カバーゴム或いはビードカバーゴムと呼ばれることもある。
【０００３】
下記特許文献１には、ビードコアの表面をゴムからなるシート部材で被覆するビードコア被覆装置及びビードコア被覆方法が記載されている。特許文献１のビードコア被覆装置は、回転するビードコアに対してビードコアの表面を被覆する帯状のシート部材を供給する供給部と、ビードコアの回転方向に沿って回転し、前記供給部から供給されたシート部材を幅方向から包囲し、ビードコアの断面形状に沿って型付けしつつシート部材の一部をビードコアに被着する型付けローラと、前記型付けローラよりもビードコアの回転方向下流側に設けられ、ビードコアの表面に被着したシート部材と接触し、当該接触した位置から当該シート部材の端部方向に回転する圧着ローラとを備えている。
【０００４】
シート部材を供給する供給部には、あらかじめ所定幅で長尺な薄肉帯状に成形されたシート部材を積層するように巻き付けたボビンが配置されている。このようにボビンにストックしたシート部材をビードコアに供給する方法では、事前にボビンにシート部材を巻き付ける工程が必要となる。また、ボビンに積層されたシート部材が互いに接着しないように、シート部材間にフィルムを配置する必要があり、コストが嵩む。さらに、シート部材をビードコアに被着する場合には、フィルムを剥がす工程が必要となり、作業工数が増える。また、フィルムを剥がす際には、シート部材にテンションがかかり寸法変化が起こる。
【０００５】
また、下記特許文献２には、ビードコアにカバーゴムを巻き付ける方法及びその装置が記載されている。特許文献２の装置は、カバーゴムを供給するレットオフ装置と、レットオフ装置から出たカバーゴムが送り込まれるフェスツーナと、ビードコアをカバーゴムで被覆するビードカバリング装置とを備える。フェスツーナは、レットオフ装置とビードカバリング装置の間におけるカバーゴムの速度差を吸収するものであるが、このようなフェスツーナを用いると、カバーゴムに張力がかかることで寸法変化が起こり、精度が悪化する。
【先行技術文献】
【特許文献】
【０００６】
【特許文献１】特開２０１２−２４０３３４号公報
【特許文献２】特開昭４９−１５７７８号公報
【発明の概要】
【発明が解決しようとする課題】
【０００７】
そこで、本発明の目的は、コスト及び作業工数を抑制しつつ、ビードコアを帯状のゴムシートで高精度に被覆することができるビードコア被覆方法及びビードコア被覆装置を提供することにある。
【課題を解決するための手段】
【０００８】
上記目的は、下記の如き本発明により達成できる。    
即ち、本発明のビードコア被覆方法は、環状のビードコアを帯状のゴムシートで被覆するビードコア被覆方法であって、
押出機により口金を介して押し出した前記ゴムシートを先端部から回転ドラムの外周面に巻き付ける工程と、
前記ゴムシートが前記回転ドラムの外周面の全周に亘って巻き付けられる前に、前記回転ドラムの外周面上にある前記ゴムシートの幅方向中央部を前記先端部から回転する前記ビードコアの外表面に貼り付ける工程と、
前記ビードコアの外表面に貼り付けられた前記ゴムシートの幅方向両端部を、前記幅方向中央部から各幅方向端部へ向かって順に前記ビードコアの外表面に沿って貼り付けながら巻き付ける工程と、を備え、
前記回転ドラムの外周面上にある前記ゴムシートの幅方向中央部を前記先端部から回転する前記ビードコアの外表面に貼り付ける工程において、前記ゴムシートが前記回転ドラムから引き剥がされる引き剥がし箇所で、前記ゴムシートの幅方向中央部と前記回転ドラムの外周面との間に生じた隙間にエアーを吹き付けることを特徴とする。
【０００９】
この構成に係るビードコア被覆方法によれば、押出機により押し出した帯状のゴムシートを先端部から回転ドラムの外周面に巻き付け、次いで、回転ドラムの外周面上に巻き付けられたゴムシートの幅方向中央部を先端部からビードコアの外表面に貼り付け、最後にゴムシートの幅方向両端部をビードコアの外表面に沿って巻き付けるようにしている。すなわち、押出機から押し出したゴムシートを回転ドラムを介して直接ビードコアの外表面に貼り付けるようにしている。この構成によれば、特許文献１の方法で用いられるようなボビンによるストックは不要であり、コスト及び作業工数を抑制できる。
また、従来の方法では、ボビンへの巻き付け時のテンション、フィルムを剥がす際のテンション、フェスツーナでの搬送時のテンション、搬送ラインにおける収縮等による寸法変化によってカバーゴムの精度が悪化するが、本発明によれば、押出機から押し出したゴムシートを、回転ドラムの外周面に一旦巻き付けた後にビードコアの外表面に貼り付けるため、寸法変化を防いで、ビードコアをゴムシートで高精度に被覆することができる。さらに、押出機から押し出した直後にゴムシートをビードコアに巻き付けるため、経時変化によるタック低下の影響を受けることなく、ビードコアへの接着不良を改善できる。
また、回転ドラムの外周面上にあるゴムシートは、幅方向中央部がビードコアの外表面に貼り付けられるため、幅方向両端部は幅方向中央部に引っ張られるようにして回転ドラムの外周面から引き剥がされる。そのため、ゴムシートは、幅方向両端部が反り返った状態となりやすい。幅方向両端部が反り返った状態で、後工程にてゴムシートの幅方向両端部をビードコアの外表面に沿って貼り付けようとすると、幅方向両端部が折れ曲がり、精度が悪化する。本発明によれば、回転ドラムの外周面上にあるゴムシートをビードコアの外表面に貼り付ける工程において、ゴムシートが回転ドラムから引き剥がされる引き剥がし箇所で、ゴムシートの幅方向中央部と回転ドラムの外周面との間に生じた隙間にエアーを吹き付けることで、幅方向両端部を回転ドラムからスムーズに引き剥がし、幅方向両端部の反り返りを防止できるため、ビードコアをゴムシートで高精度に被覆することができる。
【００１０】
本発明のビードコア被覆方法において、前記隙間から前記ゴムシートの幅方向端部へ向かう方向へエアーを吹き付けるようにしてもよい。
【００１１】
この構成によれば、ゴムシートの幅方向両端部を回転ドラムから確実に引き剥がすことができる。
【００１２】
また、本発明のビードコア被覆方法において、前記回転ドラムから引き剥がされた直後の前記ゴムシートを、前記ゴムシートを挟んで前記ビードコアの反対側に配置された保持ローラによって保持するようにしてもよい。
【００１３】
この構成によれば、引き剥がされた直後のゴムシートを保持できるので、ゴムシートの形状を安定させることができる。
【００１４】
また、本発明のビードコア被覆方法において、前記ゴムシートの幅方向中央部と前記回転ドラムの外周面との間に生じた隙間にエアーを吹き付けて前記ゴムシートの幅方向両端部を前記回転ドラムから引き剥がした後、前記ゴムシートの幅方向両端部に対して前記回転ドラム側から前記ビードコア側へ向かってさらにエアーを吹き付けるようにしてもよい。
【００１５】
この構成によれば、ゴムシートの幅方向両端部に反り返りが生じた場合にも、ゴムシートの形状を調整することができる。
【００１６】
また、本発明のビードコア被覆装置は、環状のビードコアを帯状のゴムシートで被覆するビードコア被覆装置であって、
前記ゴムシートを押し出す押出機と、
前記押出機から押し出された前記ゴムシートを巻き付ける回転ドラムと、
前記押出機よりも前記回転ドラムの回転方向下流側の位置で前記回転ドラムの外周面と前記ビードコアの外表面が近接するように前記ビードコアを支持し、支持した前記ビードコアを回転させるカバーリング装置と、
前記回転ドラムの外周面と前記ビードコアの外表面が近接する位置よりも前記ビードコアの回転方向下流側に配置されるエアー噴射機構と、
前記押出機、前記回転ドラム、前記カバーリング装置、及び前記エアー噴射機構を制御する制御部と、を備え、
前記制御部は、前記押出機から押し出した前記ゴムシートを先端部から前記回転ドラムの外周面に巻き付けていき、前記ゴムシートが前記回転ドラムの外周面の全周に亘って巻き付けられる前に、前記回転ドラムの外周面上にある前記ゴムシートの幅方向中央部を前記先端部から回転する前記ビードコアの外表面に貼り付け、前記ビードコアの外表面に貼り付けられた前記ゴムシートの幅方向両端部を、前記カバーリング装置により前記幅方向中央部から各幅方向端部へ向かって順に前記ビードコアの外表面に沿って貼り付けながら巻き付け、
前記制御部は、前記ゴムシートが前記回転ドラムから引き剥がされる引き剥がし箇所で、前記ゴムシートの幅方向中央部と前記回転ドラムの外周面との間に生じた隙間に前記エアー噴射機構によりエアーを吹き付けることを特徴とする。
【００１７】
かかる構成によるビードコア被覆装置の作用効果は、上記の述べた通りであり、コスト及び作業工数を抑制しつつ、ビードコアを帯状のゴムシートで高精度に被覆することができる。
【００１８】
また、本発明のビードコア被覆装置は、前記エアー噴射機構よりも前記ビードコアの回転方向下流側、かつ前記ゴムシートを挟んで前記ビードコアの反対側に配置され、前記回転ドラムから引き剥がされた直後の前記ゴムシートを保持する保持ローラをさらに備えてもよい。
【００１９】
この構成によれば、引き剥がされた直後のゴムシートを保持できるので、ゴムシートの形状を安定させることができる。
【図面の簡単な説明】
【００２０】
【図１】ビードコア被覆装置の構成の一例を示す模式図
【図２】押出機及び回転ドラムの構成の一例を示す模式図
【図３】ビードコアの断面図
【図４Ａ】図１のＡ−Ａ線断面図
【図４Ｂ】図１のＢ−Ｂ線断面図
【図４Ｃ】図１のＣ−Ｃ線断面図
【図４Ｄ】図１のＤ−Ｄ線断面図
【図４Ｅ】図１のＥ−Ｅ線断面図
【図４Ｆ】図１のＦ−Ｆ線断面図
【図４Ｇ】図１のＧ−Ｇ線断面図
【図４Ｈ】図１のＨ−Ｈ線断面図
【図４Ｉ】図１のＩ−Ｉ線断面図
【図４Ｊ】図１のＪ−Ｊ線断面図
【図４Ｋ】図１のＫ−Ｋ線断面図
【図５】ビードコア被覆装置の構成の別例を示す模式断面図
【図６】ビードコア被覆装置の構成の別例を示す模式断面図
【図７】ビードコア被覆装置の構成の別例を示す模式断面図
【図８】ビードコア被覆装置の構成の別例を示す模式図
【発明を実施するための形態】
【００２１】
以下、本発明の実施の形態について、図面を参照しながら説明する。本発明のビードコア被覆方法及びビードコア被覆装置は、環状のビードコアを帯状のゴムシートで被覆するためのものである。なお、本実施形態のビードコアは、断面六角形状のものとして説明するが、本発明のビードコア被覆方法及びビードコア被覆装置により被覆可能なビードコアの断面形状は、六角形に限らず四角形や丸形等でもよい。
【００２２】
図１はビードコア被覆装置１の構成の一例を示す模式図である。ビードコア被覆装置１は、押出機２と、回転ドラム３と、カバーリング装置４と、エアーノズル５（エアー噴射機構に相当）と、押出機２、回転ドラム３、カバーリング装置４、及びエアーノズル５を制御する制御部６と、を備えている。
【００２３】
図２は押出機２及び回転ドラム３の構成の一例を示す模式図である。押出機２は、円筒形のバレル２ａと、バレル２ａの供給口に接続されたホッパー２ｂと、ゴムを混練して先端側に送り出すスクリュー２ｃと、スクリュー２ｃを回転駆動させるスクリュー用モータ２ｄとを有する。スクリュー用モータ２ｄは、後述するように制御部６により回転数が制御される。
【００２４】
押出機２の押出方向先端側にはギアポンプ２０が接続され、ギアポンプ２０の先端側は口金２１に接続されている。押出機２により混練されたゴム材料は、ギアポンプ２０に供給され、ギアポンプ２０は、口金２１に対して定量のゴムを供給する。口金２１からは所定の押出量でゴムシートＳが押し出される。
【００２５】
ギアポンプ２０は、一対のギア２０ａを有しており、口金２１に向けて出口側にゴムを送り出す機能を有する。一対のギア２０ａは、それぞれギア用モータ２０ｂによって回転駆動され、その回転数は、制御部６により制御される。ギア用モータ２０ｂの回転数、及びスクリュー用モータ２ｄの回転数を制御部６により連動させて制御することで、口金２１から押し出されるゴムシートＳの押出量を制御することができる。なお、図示の都合上、１対のギア２０ａは、図２の上下方向に並べられているが、実際は平面方向（ギア２０ａの回転軸が図２の上下となる方向）に並べてもよい。
【００２６】
ギアポンプ２０の入口側、すなわち押出機２に近い側には、第１圧力センサー２２が設けられ、押出機２から供給されてくるゴムの圧力を検出する。また、ギアポンプ２０の出口側には、第２圧力センサー２３が設けられ、口金２１から押し出されるゴムシートＳの圧力を検出する。
【００２７】
ギアポンプ２０の入口側の圧力は、ギアポンプ２０のギア２０ａと押出機２のスクリュー２ｃによるゴム送り量によって決定される。この入口側の圧力を一定に保つことで、ギアポンプ２０は定量のゴムを口金２１へ供給でき、口金２１からの押出量も安定する。しかし、入口側の圧力が不安定であると、口金２１からの押出量にばらつきが生じ、所望の寸法のゴムシートＳを成形することが困難となる。
【００２８】
ギアポンプ２０の入口側の圧力を制御する方法としては、ギアポンプ２０のギア２０ａの回転数と押出機２のスクリュー２ｃの回転数とをＰＩＤ制御することが知られている。このＰＩＤ制御は、一般的にゴムを定量で連続的に押し出す際に使用される。
【００２９】
制御部６は、第１圧力センサー２２で検出されたギアポンプ２０の入口側の圧力に基づいて、押出機２のスクリュー用モータ２ｄの回転数を制御する。制御部６は、予め定められた（時間の係数による）制御プログラムに基づいて、ギア用モータ２０ｂの回転数を制御する。
【００３０】
なお、本実施形態では、押出機２の押出方向先端側にギアポンプ２０が接続された、いわゆる外付けギアポンプを用いる例を示している。ただし、これに替えて、押出機内にギアポンプを内蔵したギアポンプ内蔵型押出機を用いるようにしてもよい。本発明において、ギアポンプ内蔵型押出機は、外付けギアポンプを接続した押出機に比べ、押出量を容易に制御することができ、なおかつギア用モータが不要なので押出機先端部がコンパクトになりより好ましい。
【００３１】
押出機２、ギアポンプ２０及び口金２１は、一体として前後駆動装置２４により押出方向の前後に移動可能に構成されており、回転ドラム３に対して近付いたり遠ざかったりすることができる。かかる前後の移動も、制御部６によって制御される。
【００３２】
回転ドラム３は、サーボモータ３０によりＲ１方向に回転可能に構成されている。サーボモータ３０の回転数は、制御部６により制御される。回転ドラム３の外周面には、口金２１を介して押し出されたゴムシートＳが供給され、ゴムシートＳが貼り付いた状態で回転ドラム３をＲ１方向に回転駆動することにより、ゴムシートＳを周方向に沿って巻き付けることができる。回転ドラム３の外周面は金属製となっている。本実施形態の回転ドラム３の外径は、例えば２００〜４００ｍｍである。
【００３３】
回転ドラム３は、外周面を冷却する冷却機構を備えることが好ましい。冷却機構としては、例えば、回転ドラム３の内部に冷却水を循環させる水冷機構が用いられる。また、回転ドラム３の外周面は、貼り付けたゴムシートＳを剥がしやすいような表面処理が行われたり、材質が用いられたりする。
【００３４】
カバーリング装置４は、押出機２よりも回転ドラム３の回転方向Ｒ１下流側の位置で回転ドラム３の外周面とビードコア８の外表面が近接するようにビードコア８を支持し、支持したビードコア８を回転させる。本実施形態では、押出機２の口金２１の先端と回転ドラム３の外周面とが最も近接する位置と、ビードコア８の内周面と回転ドラム３の外周面とが最も近接する位置とは、回転ドラム３の回転方向Ｒ１に１８０°ずれている。また、本実施形態では、回転ドラム３の外径がビードコア８の内径よりも小さくなっており、回転ドラム３は、カバーリング装置４に支持されるビードコア８の内周側に配置されている。
【００３５】
カバーリング装置４は、ビードコア８の外表面に貼り付けられたゴムシートＳをビードコア８の断面形状に沿って巻き付けるためのものである。カバーリング装置４は、支持したビードコア８をＲ２方向に回転させることができる。ビードコア８は、回転ドラム３の回転により従動的に回転する。
【００３６】
図３は、ビードコア８の断面図を示す。本実施形態のビードコア８は、断面六角形状をしており、ビードコア８の内周面を下面８ａ、外周面を上面８ｄとし、内周側の側面を下側面８ｂ，８ｆとし、外周側の側面を上側面８ｃ，８ｅとする。ビードコア８の表面には、ゴムシートＳが巻き付けられている。また、ビードコア８の外周側には、断面が略三角形状のビードフィラー９が配設される。本実施形態のビードコア８の内径は、例えば４００〜６５０ｍｍである。
【００３７】
カバーリング装置４は、ビードコア８の回転方向Ｒ２の上流側から下流側へ向かって順に、押さえローラ４１、第１型付けローラ４２、下側面圧着ローラ４３、第２型付けローラ４４、第１上側面圧着ローラ４５、第１折り曲げローラ４６、第２上側面圧着ローラ４７、第２折り曲げローラ４８、仕上げローラ４９を備えている。また、カバーリング装置４は、回転するビードコア８の蛇行を防止する複数のガイドローラ４０が設けられている。また、カバーリング装置４は、押さえローラ４１と第１型付けローラ４２との間に保持ローラ５０を備えている。
【００３８】
図４Ａは、図１のＡ−Ａ線断面図である。回転ドラム３の外周面には、ゴムシートＳが巻き付けられている。本実施形態のゴムシートＳの断面は、幅方向の両端部が薄くなっており、ゴムシートＳをビードコア８の表面に巻き付けて幅方向両端部を接合する際に、薄くなった部分同士を重ねることで、接合部が厚くなることを防止している。
【００３９】
押さえローラ４１は、ビードコア８の一部を挟んで回転ドラム３と対向する位置に配置される。押さえローラ４１の回転軸は、回転ドラム３及びビードコア８の回転軸と平行となっており、押さえローラ４１の外周面がビードコア８の上面８ｄに接触しながら押さえローラ４１は回転する。また、押さえローラ４１は、ビードコア８の径方向の内外に移動可能に構成されている。これにより、回転ドラム３の外周面上にあるゴムシートＳの幅方向の一部を回転するビードコア８の下面８ａに貼り付ける際、押さえローラ４１はビードコア８の上面８ｄを押圧することができる。なお、押さえローラ４１は、ビードコア８の回転により従動的に回転する従動ローラである。
【００４０】
図４Ｂは、図１のＢ−Ｂ線断面図である。第１型付けローラ４２は、ビードコア８の内周側に配置されている。第１型付けローラ４２の回転軸は、ビードコア８の回転軸と平行となっている。第１型付けローラ４２は、図４Ｂに示すように、左右に対して中央が凹んだ糸巻状をしている。第１型付けローラ４２の凹部４２１は、ゴムシートＳを介してビードコア８の下面８ａ及び左右の下側面８ｂ，８ｆと接触するように配置される。また、ビードコア８を挟んで第１型付けローラ４２に対向する位置には、ビードコア８の径方向の内外に移動可能に構成された補助ローラ４２ａが配置されている。補助ローラ４２ａの回転軸は、第１型付けローラ４２及びビードコア８の回転軸と平行となっている。これにより、第１型付けローラ４２の凹部４２１によってゴムシートＳをビードコア８の左右の下側面８ｂ，８ｆに沿って上方に折り返すことができる。なお、第１型付けローラ４２及び補助ローラ４２ａは、ビードコア８の回転により従動的に回転する従動ローラである。
【００４１】
図４Ｃは、図１のＣ−Ｃ線断面図である。下側面圧着ローラ４３は、ビードコア８の内周側に配置されている。下側面圧着ローラ４３の回転軸は、ビードコア８の回転軸と平行となっている。下側面圧着ローラ４３は、ビードコア８の左右に対向して一つずつ設けられている。一対の下側面圧着ローラ４３は、ビードコア８の幅方向の左右に移動可能に構成されている。下側面圧着ローラ４３は、円錐台状をしており、テーパ面をなす外周面が、ゴムシートＳを介してビードコア８の下側面８ｂ，８ｆとそれぞれ接触するように配置される。また、ビードコア８を挟んで下側面圧着ローラ４３に対向する位置には、ビードコア８の径方向の内外に移動可能に構成された補助ローラ４３ａが配置されている。補助ローラ４３ａの回転軸は、下側面圧着ローラ４３及びビードコア８の回転軸と平行となっている。これにより、下側面圧着ローラ４３によってビードコア８の下側面８ｂ，８ｆに対してゴムシートＳを圧着することができる。なお、下側面圧着ローラ４３は、不図示のモータによって駆動する駆動ローラであり、補助ローラ４３ａは、ビードコア８の回転により従動的に回転する従動ローラである。
【００４２】
図４Ｄは、図１のＤ−Ｄ線断面図である。第２型付けローラ４４は、ビードコア８の内周側に配置されている。第２型付けローラ４４の回転軸は、ビードコア８の回転軸と平行となっている。第２型付けローラ４４は、ビードコア８の下面８ａに沿って回転する胴体部４４１と、胴体部４４１の両端にそれぞれ設けられる円板状のフランジ部４４２とを備える。左右のフランジ部４４２の間隔は、ビードコア８の幅にゴムシートＳの厚さを加えた幅と略同じとなっている。また、第２型付けローラ４４は、ビードコア８の径方向の内外に移動可能に構成されている。これにより、第２型付けローラ４４のフランジ部４４２によってゴムシートＳの幅方向両端部を上方に立たせることができる。なお、第２型付けローラ４４は、ビードコア８の回転により従動的に回転する従動ローラである。
【００４３】
図４Ｅは、図１のＥ−Ｅ線断面図である。第１上側面圧着ローラ４５は、ビードコア８の側方に配置されている。第１上側面圧着ローラ４５の回転軸は、ビードコア８の径方向と平行となっている。第１上側面圧着ローラ４５は、２つの円錐台部４５１，４５２を結合させた糸巻状をしている。一方の円錐台部４５１の外周面は、ゴムシートＳを介してビードコア８の上側面８ｃと接触するように配置される。第１上側面圧着ローラ４５は、ビードコア８の幅方向の左右に移動可能に構成されている。また、ビードコア８を挟んで第１上側面圧着ローラ４５に対向する位置には、ビードコア８の幅方向の左右に移動可能に構成された補助ローラ４５ａが配置されている。補助ローラ４５ａの回転軸は、第１上側面圧着ローラ４５の回転軸と平行となっている。これにより、第１上側面圧着ローラ４５の一方の円錐台部４５１によってビードコア８の上側面８ｃに対してゴムシートＳを圧着することができる。なお、第１上側面圧着ローラ４５は、不図示のモータによって駆動する駆動ローラであり、補助ローラ４５ａは、ビードコア８の回転により従動的に回転する従動ローラである。
【００４４】
図４Ｆは、図１のＦ−Ｆ線断面図である。第１折り曲げローラ４６は、ビードコア８の外周側に配置されている。第１折り曲げローラ４６の回転軸は、ビードコア８の回転軸と平行となっている。第１折り曲げローラ４６は、ビードコア８の上面８ｄに沿って回転する円柱部４６１と、円柱部４６１の一端に設けられる円錐台部４６２とを備える。円錐台部４６２の外周面は、ゴムシートＳを介してビードコア８の上側面８ｃと接触するように配置される。ビードコア８を挟んで第１折り曲げローラ４６の円柱部４６１に対向する位置には、ビードコア８の径方向の内外に移動可能に構成された補助ローラ４６ａが配置されている。補助ローラ４６ａの回転軸は、第１折り曲げローラ４６及びビードコア８の回転軸と平行となっている。これにより、第１折り曲げローラ４６の円柱部４６１によってゴムシートＳの一方の端部をビードコア８の上面８ｄに沿って折り曲げることができる。なお、第１折り曲げローラ４６は、不図示のモータによって駆動する駆動ローラであり、補助ローラ４６ａは、ビードコア８の回転により従動的に回転する従動ローラである。
【００４５】
図４Ｇは、図１のＧ−Ｇ線断面図である。第２上側面圧着ローラ４７は、ビードコア８の側方に配置されている。第２上側面圧着ローラ４７の回転軸は、ビードコア８の径方向と平行となっている。第２上側面圧着ローラ４７は、２つの円錐台部４７１，４７２を結合させた糸巻状をしている。一方の円錐台部４７１の外周面は、ゴムシートＳを介してビードコア８の上側面８ｅと接触するように配置される。第２上側面圧着ローラ４７は、ビードコア８の幅方向の左右に移動可能に構成されている。また、ビードコア８を挟んで第２上側面圧着ローラ４７に対向する位置には、ビードコア８の幅方向の左右に移動可能に構成された補助ローラ４７ａが配置されている。補助ローラ４７ａの回転軸は、第２上側面圧着ローラ４７の回転軸と平行となっている。これにより、第２上側面圧着ローラ４７の一方の円錐台部４７１によってビードコア８の上側面８ｅに対してゴムシートＳを圧着することができる。なお、第２上側面圧着ローラ４７は、不図示のモータによって駆動する駆動ローラであり、補助ローラ４７ａは、ビードコア８の回転により従動的に回転する従動ローラである。
【００４６】
図４Ｈは、図１のＨ−Ｈ線断面図である。第２折り曲げローラ４８は、ビードコア８の外周側に配置されている。第２折り曲げローラ４８の回転軸は、ビードコア８の回転軸と平行となっている。第２折り曲げローラ４８は、ビードコア８の上面８ｄに沿って回転する。また、ビードコア８を挟んで第２折り曲げローラ４８に対向する位置には、ビードコア８の径方向の内外に移動可能に構成された補助ローラ４８ａが配置されている。補助ローラ４８ａの回転軸は、第２折り曲げローラ４８及びビードコア８の回転軸と平行となっている。これにより、第２折り曲げローラ４８によってゴムシートＳの他方の端部をビードコア８の上面８ｄに沿って折り曲げることができる。なお、第２折り曲げローラ４８は、不図示のモータによって駆動する駆動ローラであり、補助ローラ４８ａは、ビードコア８の回転により従動的に回転する従動ローラである。
【００４７】
図４Ｉは、図１のＩ−Ｉ線断面図である。仕上げローラ４９は、ビードコア８の外周側に配置されている。仕上げローラ４９の回転軸は、ビードコア８の回転軸と平行となっている。仕上げローラ４９は、ビードコア８の上面８ｄに沿って回転する。仕上げローラ４９は、ビードコア８の径方向の内外に移動可能に構成されている。また、ビードコア８を挟んで仕上げローラ４９に対向する位置には、ビードコア８の径方向の内外に移動可能に構成された補助ローラ４９ａが配置されている。補助ローラ４９ａの回転軸は、仕上げローラ４９及びビードコア８の回転軸と平行となっている。これにより、仕上げローラ４９によってゴムシートＳの両端部をビードコア８の上面８ｄに圧着することができる。なお、仕上げローラ４９は、不図示のモータによって駆動する駆動ローラであり、補助ローラ４９ａは、ビードコア８の回転により従動的に回転する従動ローラである。また、仕上げローラ４９と補助ローラ４９ａは、圧着力を高めるために、ローラ自体を温める温度調節機構を備えるようにしてもよい。温度調節機構としては、温水、ヒータ、ガス等による温度調節機構が例示される。
【００４８】
エアーノズル５は、回転ドラム３の外周面とビードコア８の外表面が近接する位置よりもビードコア８の回転方向Ｒ２の下流側に配置されている。本実施形態のエアーノズル５は、回転ドラム３と第１型付けローラ４２との間に配置されている。また、エアーノズル５は、ビードコア８を挟んで両側にそれぞれ設けられている。
【００４９】
図４Ｊは、図１のＪ−Ｊ線断面図である。回転ドラム３の外周面上にあるゴムシートＳは、図４Ａに示すように、幅方向中央部がビードコア８の外表面（下面８ａ）に貼り付けられるため、図４Ｊに示すように、幅方向両端部は幅方向中央部に引っ張られるようにして回転ドラム３の外周面から引き剥がされる。エアーノズル５は、ゴムシートＳが回転ドラム３の外周面から引き剥がされる引き剥がし箇所（Ｊ−Ｊ線の位置）で、ゴムシートＳの幅方向中央部と回転ドラム３の外周面との間に生じた隙間３ｓにエアーを吹き付けることができる。これにより、ゴムシートＳの幅方向両端部を回転ドラム３からスムーズに引き剥がし、幅方向両端部の反り返りを防止できるため、その後の第１型付けローラ４２によってゴムシートＳの幅方向両端部を上方に折り返す工程において、反り返った幅方向両端部が第１型付けローラ４２によって折れ曲がることを抑制できる。その結果、ビードコア８をゴムシートＳで高精度に被覆することができる。なお、ゴムシートＳの先端部が回転ドラム３の外周面から最も引き剥がしにくいため、ゴムシートＳの先端部を回転ドラム３の外周面から引き剥がす際にエアーを吹き付けることが特に有効である。
【００５０】
また、エアーノズル５は、隙間３ｓからゴムシートＳの幅方向端部へ向かう方向へエアーを吹き付けることが好ましい。これにより、ゴムシートＳの幅方向両端部を回転ドラム３から確実に引き剥がすことができる。
【００５１】
本実施形態のエアーノズル５は、直径が３ｍｍの円形の噴射口を有する。エアーの噴射圧は０．３〜０．４ＭＰａである。
【００５２】
図４Ｋは、図１のＫ−Ｋ線断面図である。保持ローラ５０は、エアーノズル５よりもビードコア８の回転方向Ｒ２の下流側に配置されている。保持ローラ５０は、ゴムシートＳを挟んでビードコア８の反対側（本実施形態ではビードコア８の内周側）に配置されている。保持ローラ５０の幅は、ゴムシートＳの幅以上である。また、保持ローラ５０の表面は、テフロン（登録商標）加工されている。
【００５３】
保持ローラ５０は、回転ドラム３から引き剥がされた直後のゴムシートＳを保持することができる。これにより、引き剥がされたゴムシートＳの形状を安定させることができ、幅方向両端部の反り返りを防止できる。
【００５４】
次に、上記のビードコア被覆装置１を用いたビードコア被覆方法を説明する。本発明のビードコア被覆方法は、押出機２により口金２１を介して押し出したゴムシートＳを先端部から回転ドラム３の外周面に巻き付ける工程と、ゴムシートＳが回転ドラム３の外周面の全周に亘って巻き付けられる前に、回転ドラム３の外周面上にあるゴムシートＳの幅方向中央部から回転するビードコア８の外表面に貼り付ける工程と、ビードコア８の外表面に貼り付けられたゴムシートＳの幅方向両端部を、幅方向中央部から幅方向端部へ向かって順にビードコア８の外表面に沿って貼り付けながら巻き付ける工程と、を備え、回転ドラム３の外周面上にあるゴムシートＳの幅方向中央部を先端部から回転するビードコア８の外表面に貼り付ける工程において、ゴムシートＳが回転ドラム３から引き剥がされる引き剥がし箇所で、ゴムシートＳの幅方向中央部と回転ドラム３の外周面との間に生じた隙間３ｓにエアーを吹き付ける。
【００５５】
初めに、カバーリング装置４にビードコア８をセットする。このとき、押出機２は、カバーリング装置４の外部に配置されている。
【００５６】
次いで、押出機２を回転ドラム３の方向に前進させ、口金２１を回転ドラム３の外周面に接近させる。
【００５７】
次いで、押出機２の口金２１からゴムシートＳの押し出しを開始し、同時に回転ドラム３の回転を開始する。これにより、押し出したゴムシートＳを先端部から回転ドラム３の外周面に巻き付けていくことができる。
【００５８】
次いで、回転ドラム３の外周面上に巻き付けられたゴムシートＳの幅方向中央部を先端部から回転するビードコア８の下面８ａに貼り付けていく（図４Ａを参照）。
【００５９】
次いで、ビードコア８の下面８ａに貼り付けられたゴムシートＳは、カバーリング装置４によって、ゴムシートＳの幅方向両端部がビードコア８の外表面に沿って巻き付けられる（図４Ｂ〜図４Ｉを参照）。ゴムシートＳをビードコア８の外表面に貼り付ける工程において、ゴムシートＳが回転ドラム３から引き剥がされる引き剥がし箇所で、ゴムシートＳの幅方向中央部と回転ドラム３の外周面との間に生じた隙間３ｓにエアーを吹き付ける（図４Ｊを参照）。最後に、押出機２を後退させて、ゴムシートＳで被覆したビードコア８をカバーリング装置４から取り外す。
【００６０】
［他の実施形態］
（１）カバーリング装置４は、エアーノズル５よりもビードコア８の回転方向Ｒ２の下流側に配置される第２のエアーノズル７を備えてもよい。第２のエアーノズル７は、保持ローラ５０よりもビードコア８の回転方向Ｒ２の上流側に配置される。すなわち、第２のエアーノズル７は、エアーノズル５と保持ローラ５０の間に配置される。第２のエアーノズル７は、ビードコア８の内周側から外周側へ向かう方向（径方向外側へ向かう方向）にエアーを吹き付けることができる。第２のエアーノズル７は、図５に示すように、エアーノズル５によりエアーを吹き付けてゴムシートＳの幅方向両端部が回転ドラム３から引き剥がされた後、ゴムシートＳの幅方向両端部に対して回転ドラム３側からビードコア８側へ向かってエアーを吹き付ける。これにより、ゴムシートＳの幅方向両端部に反り返りが生じた場合にも、ゴムシートＳの形状を調整することができる。なお、第２のエアーノズル７は、エアーノズル５と同様のものを使用することができる。
【００６１】
（２）また、カバーリング装置４は、エアーノズル５よりもビードコア８の回転方向Ｒ２の下流側、かつ第２のエアーノズル７よりもビードコア８の回転方向Ｒ２の上流側に配置される第２の保持ローラ５１を備えてもよい。図６に示すように、第２の保持ローラ５１の幅は、ゴムシートＳの幅より小さく、ビードコア８の幅より大きい。また、第２の保持ローラ５１の表面は、テフロン（登録商標）加工されている。第２の保持ローラ５１は、エアーノズル５によるゴムシートＳの幅方向両端部の引き剥がしが不十分な場合に、隙間３ｓに挿入されて確実にゴムシートＳの幅方向両端部を引き剥がす。
【００６２】
（３）前述の実施形態では、保持ローラ５０は、ストレート形状であったが、これに限定されない。保持ローラ５０は、図７に示すようなテーパ形状でもよい。
【００６３】
（４）前述の実施形態では、回転ドラム３の外周面上に巻き付けられたゴムシートＳの幅方向中央部を先端部から回転するビードコア８の内周面（下面８ａ）に貼り付けていく例を示したが、これに限定されない。
【００６４】
例えば、図８に示すように、回転ドラム３をビードコア８の外周側に配置し、回転ドラム３の外周面上に巻き付けられたゴムシートＳの幅方向中央部を先端部から回転するビードコア８の外周面に貼り付けていってもよい。この構成によれば、設備レイアウトの構成が単純であり、かつビードコアのサイズ変更にも容易に対応できる。
【００６５】
また、回転ドラム３をビードコア８の側方に配置し、回転ドラム３の外周面上に巻き付けられたゴムシートＳの幅方向中央部を先端部から回転するビードコア８の側面に貼り付けていってもよい。この構成によれば、図８の構成と同様、設備レイアウトの構成が単純であり、かつビードコアのサイズ変更にも容易に対応できる。
【００６６】
（５）前述の実施形態では、押出機２の口金２１の先端と回転ドラム３の外周面とが最も近接する位置と、ビードコア８の外表面と回転ドラム３の外周面とが最も近接する位置とが、回転ドラム３の回転方向Ｒ１に１８０°ずれている例を示したが、これに限定されず、９０°や２７０°ずれていてもよい。
【符号の説明】
【００６７】
１    ビードコア被覆装置
２    押出機
３    回転ドラム
４    カバーリング装置
５    エアーノズル
６    制御部
７    第２のエアーノズル
８    ビードコア
２１    口金
Ｓ    ゴムシート
【図１】
2019051671.tif 000003
【図２】
2019051671.tif 000004
【図３】
2019051671.tif 000005
【図４Ａ】
2019051671.tif 000006
【図４Ｂ】
2019051671.tif 000007
【図４Ｃ】
2019051671.tif 000008
【図４Ｄ】
2019051671.tif 000009
【図４Ｅ】
2019051671.tif 000010
【図４Ｆ】
2019051671.tif 000011
【図４Ｇ】
2019051671.tif 000012
【図４Ｈ】
2019051671.tif 000013
【図４Ｉ】
2019051671.tif 000014
【図４Ｊ】
2019051671.tif 000015
【図４Ｋ】
2019051671.tif 000016
【図５】
2019051671.tif 000017
【図６】
2019051671.tif 000018
【図７】
2019051671.tif 000019
【図８】
2019051671.tif 000020